(57)【要約】光ピックアップ（１００）は、レーザ光（ＬＢ）を照射する照射手段（１０１）と、レーザ光を記録媒体（１０）に集光する第１集光手段（１０４）と、照射手段と第１集光手段との間における光路上に配置され、且つレーザ光の光路に沿って移動可能なコリメータ手段（１０２）と、レーザ光の一部を反射すると共にレーザ光の他の一部を透過する分離手段（１０３）と、反射されたレーザ光の一部を受光する受光手段（１１１）と、反射されたレーザ光の一部を受光手段に集光する第２集光手段（１１２）とを備え、受光手段及び第１集光手段は、コリメータ手段の移動前後における第１集光手段でのレーザ光の光密度の変化率と、コリメータ手段の移動前後における受光手段でのレーザ光の光密度の変化率とが略同一となる位置に配置される。
2008041307.tif 000002
【特許請求の範囲】
【請求項１】
記録媒体に対する記録動作及び再生動作の少なくとも一方を行うためのレーザ光を照射する照射手段と、
前記照射手段と前記記録媒体との間における前記レーザ光の光路上に配置され、且つ前記レーザ光を前記記録媒体に集光する第１集光手段と、
前記照射手段と前記第１集光手段との間における前記光路上に配置され、且つ前記レーザ光の光路に沿って移動可能なコリメータ手段と、
前記コリメータ手段と前記第１集光手段との間における前記光路上に配置され、且つ前記レーザ光の一部を反射すると共に前記レーザ光の他の一部を透過する分離手段と、
前記分離手段により反射された前記レーザ光の一部を受光する受光手段と、
前記分離手段により反射された前記レーザ光の一部を前記受光手段に集光する第２集光手段と
を備え、
前記受光手段及び前記第１集光手段の少なくとも一方は、前記コリメータ手段の移動前後における前記第１集光手段での前記レーザ光の光密度の変化率と、前記コリメータ手段の移動前後における前記受光手段での前記レーザ光の光密度の変化率とが略同一となる位置に配置されることを特徴とする光ピックアップ装置。
【請求項２】
前記第２集光手段の焦点距離及び前記第２集光手段と前記受光手段との間の距離に応じて定まる前記コリメータ手段の移動前後における前記受光手段での前記レーザ光の光密度の変化率が、前記コリメータ手段の移動前後における前記第１集光手段での前記レーザ光の光密度の変化率と略同一となるように、前記第２集光手段の焦点距離及び前記第２集光手段と前記受光手段との間の距離の夫々が定められることを特徴とする請求の範囲第１項に記載の光ピックアップ装置。
【請求項３】
前記コリメータ手段の移動前後における前記受光手段及び前記第１集光手段の夫々での前記レーザ光の光密度の変化の態様が線形関係となる位置に、前記受光手段及び前記第１集光手段の少なくとも一方が配置されることを特徴とする請求の範囲第１項に記載の光ピックアップ装置。
【請求項４】
前記受光手段に照射される前記レーザ光のスポット径が、前記受光手段よりも大きいことを特徴とする請求の範囲第１項に記載の光ピックアップ装置。
【請求項５】
前記第１集光手段に近づく方向へ前記コリメータ手段が移動することで前記第１集光手段での光密度が増加する場合には、前記受光手段を、前記第２集光手段による前記分離手段により反射された前記レーザ光の一部の焦点よりも、前記第２集光手段から見て近い側に配置することを特徴とする請求の範囲第１項に記載の光ピックアップ装置。
【請求項６】
前記第１集光手段に近づく方向へ前記コリメータ手段が移動することで前記第１集光手段での光密度が減少する場合には、前記受光手段を、前記第２集光手段による前記分離手段により反射された前記レーザ光の一部の焦点よりも、前記第１集光手段から見て遠い側に配置することを特徴とする請求の範囲第１項に記載の光ピックアップ装置。
【請求項７】
前記第２集光手段は、レンズ、反射ミラー及びプリズムの少なくとも１つを含むことを特徴とする請求の範囲第１項に記載の光ピックアップ装置。
【請求項８】
前記プリズムは多角プリズムであることを特徴とする請求の範囲第７項に記載の光ピックアップ装置。
【請求項９】
前記反射ミラーは、凹面鏡及び凸面鏡の少なくとも一方を含むことを特徴とする請求の範囲第７項に記載の光ピックアップ装置。
【請求項１０】
記録媒体に対する記録動作及び再生動作の少なくとも一方を行うためのレーザ光を照射する照射手段と、前記照射手段と前記記録媒体との間における前記レーザ光の光路上に配置され、且つ前記レーザ光を前記記録媒体に集光する第１集光手段と、前記照射手段と前記第１集光手段との間における前記光路上に配置され、且つ前記レーザ光の光路に沿って移動可能なコリメータ手段と、前記コリメータ手段と前記第１集光手段との間における前記光路上に配置され、且つ前記レーザ光の一部を反射すると共に前記レーザ光の他の一部を透過する分離手段と、前記分離手段により反射された前記レーザ光の一部を受光する受光手段と、前記分離手段により反射された前記レーザ光の一部を前記受光手段に集光する第２集光手段とを備え、前記受光手段及び前記第１集光手段の少なくとも一方は、前記コリメータ手段の移動前後における前記第１集光手段での前記レーザ光の光密度の変化率と、前記コリメータ手段の移動前後における前記受光手段での前記レーザ光の光密度の変化率とが略同一となる位置に配置される光ピックアップ装置と、
前記記録媒体に対する記録動作及び再生動作の少なくとも一方を行うように前記光ピックアップ装置を制御する制御手段と
を備える情報機器。
【発明の詳細な説明】
【技術分野】
【０００１】
本発明は、例えば光ディスクに対してレーザ光を照射する光ピックアップ装置、及びこのような光ピックアップ装置を備える情報機器の技術分野に関する。
【背景技術】
【０００２】
例えばＣＤやＤＶＤ等のように、レーザ光等を用いて光学的にデータの記録や再生を行う光ディスクが開発されている。このような光ディスクにおいては、基板厚のばらつきが生ずることがある。基板厚のばらつきは、球面収差の発生につながる。従って、好適な記録動作及び再生動作を行うためには、基板厚のばらつきによって発生する球面収差の影響を低減する必要がある。このための一の手法として、レーザ光の光路中におけるコリメータレンズ（集光レンズ）の位置を変化させることで、基板厚のばらつきに応じてレーザ光を記録面に集光させる手法が開発されている。即ち、光学系の倍率を変換することで、基板厚に応じてレーザ光を記録面に集光させる手法が開発されている。【０００３】
他方で、このような光ディスクでは、レーザダイオードより照射されるレーザ光の光強度をモニタリングし、該モニタリングされた光強度に基づいてフィードフォワード制御又はフィードバック制御を行なうことで、レーザダイオードより出射されるレーザ光の光強度を制御する技術が導入されている。ここで、特許文献１では、コリメータレンズの位置を変化させた後のレーザ光の光量をモニタリングする光ディスク装置が開示されている。具体的には、光強度をモニタリングする光学系を構成するレンズに対してアパーチャを用いた開口制限を行うことで、光強度をモニタリングする光学系を構成するレンズの開口数と、対物レンズとの開口数とを同一にすると共に、光強度をモニタリングする光学系を構成するレンズと対物レンズとのコリメータレンズに対する光学的な配置を同一にしている。これにより、光ディスクにレーザ光を集光させる対物レンズでのレーザ光の光強度が変動することを考慮して、レーザダイオードより出射されるレーザ光の光強度を制御することができる
【特許文献１】特許第３５３８１７１号公報
【発明の開示】
【発明が解決しようとする課題】
【０００４】
しかしながら、特許文献１に開示された光ディスク装置では、光強度をモニタリングする光学系の配置位置等が一義的に固定されてしまう。つまり、光ディスク装置のスペース的な制約等により、特許文献１に開示された構成を実現することができない場合が生ずるという技術的な問題点を有している。【０００５】
本発明は、例えば上述した従来の問題点に鑑みなされたものであり、例えばレーザ光の光強度を好適に制御しつつも設計の自由度を高めることが可能な光ピックアップ装置及び情報機器を提供することを課題とする。
【課題を解決するための手段】
【０００６】
上記課題を解決するために、請求の範囲第１項に記載の光ピックアップ装置は、記録媒体に対する記録動作及び再生動作の少なくとも一方を行うためのレーザ光を照射する照射手段と、前記照射手段と前記記録媒体との間における前記レーザ光の光路上に配置され、且つ前記レーザ光を前記記録媒体に集光する第１集光手段と、前記照射手段と前記第１集光手段との間における前記光路上に配置され、且つ前記レーザ光の光路に沿って移動可能なコリメータ手段と、前記コリメータ手段と前記第１集光手段との間における前記光路上に配置され、且つ前記レーザ光の一部を反射すると共に前記レーザ光の他の一部を透過する分離手段と、前記分離手段により反射された前記レーザ光の一部を受光する受光手段と、前記分離手段により反射された前記レーザ光の一部を前記受光手段に集光する第２集光手段とを備え、前記受光手段及び前記第１集光手段の少なくとも一方は、前記コリメータ手段の移動前後における前記第１集光手段での前記レーザ光の光密度の変化率と、前記コリメータ手段の移動前後における前記受光手段での前記レーザ光の光密度の変化率とが略同一となる位置に配置される。【０００７】
上記課題を解決するために、請求の範囲第１０項に記載の情報機器は、記録媒体に対する記録動作及び再生動作の少なくとも一方を行うためのレーザ光を照射する照射手段と、前記照射手段と前記記録媒体との間における前記レーザ光の光路上に配置され、且つ前記レーザ光を前記記録媒体に集光する第１集光手段と、前記照射手段と前記第１集光手段との間における前記光路上に配置され、且つ前記レーザ光の光路に沿って移動可能なコリメータ手段と、前記コリメータ手段と前記第１集光手段との間における前記光路上に配置され、且つ前記レーザ光の一部を反射すると共に前記レーザ光の他の一部を透過する分離手段と、前記分離手段により反射された前記レーザ光の一部を受光する受光手段と、前記分離手段により反射された前記レーザ光の一部を前記受光手段に集光する第２集光手段とを備え、前記受光手段及び前記第１集光手段の少なくとも一方は、前記コリメータ手段の移動前後における前記第１集光手段での前記レーザ光の光密度の変化率と、前記コリメータ手段の移動前後における前記受光手段での前記レーザ光の光密度の変化率とが略同一となる位置に配置される光ピックアップ装置と、前記記録媒体に対する記録動作及び再生動作の少なくとも一方を行うように前記光ピックアップ装置を制御する制御手段とを備える。【０００８】
本発明の作用及び他の利得は次に説明する実施の形態から明らかにされよう。
【図面の簡単な説明】
【０００９】
【図１】本実施例に係る光ピックアップを備える情報記録再生装置の全体的な構成を概略的に示すブロック図である。
【図２】本実施例に係る情報記録再生装置のうち特にピックアップのより詳細な構成を概略的に示すブロック図である。
【図３】コリメータレンズが対物レンズから光学的に遠ざかる位置に移動する場合における、対物レンズ上でのレーザ光ＴＢの光密度の変化、及びＦＭ上でのレーザ光の光密度の変化の夫々の態様を概念的に示す説明図である。
【図４】コリメータレンズが対物レンズに光学的に近づく位置に移動する場合における、対物レンズ上でのレーザ光ＴＢの光密度の変化、及びＦＭ上でのレーザ光の光密度の変化の夫々の態様を概念的に示す説明図である。
【図５】コリメータレンズの移動に起因した、対物レンズ上でのレーザ光の光密度の変化の態様を概念的に示すグラフである。
【図６】コリメータレンズの移動に起因した、ＦＭ上でのレーザ光の光密度の変化の態様を概念的に示す表及びグラフである。
【図７】ＦＭ前レンズとＦＭとの間の距離を１５ｍｍに固定した場合において、コリメータレンズの移動に起因した、ＦＭ上でのレーザ光ＲＢの光密度の変化の態様を概念的に示すグラフである。
【図８】ＦＭ前レンズとＦＭとの間の距離を１０ｍｍに固定した場合において、コリメータレンズの移動に起因した、ＦＭ上でのレーザ光ＲＢの光密度の変化の態様を概念的に示すグラフである。
【図９】ＦＭの配置位置を概念的に示す断面図である。
【図１０】ＦＭ前レンズの第１の具体的な構成を概念的に示す断面図である。
【図１１】ＦＭ前レンズの第２の具体的な構成を概念的に示す断面図である。
【図１２】ＦＭ前レンズの第３の具体的な構成を概念的に示す断面図である。
【図１３】ＦＭ前レンズの第４の具体的な構成を概念的に示す断面図である。
【図１４】ＦＭ前レンズの第５の具体的な構成を概念的に示す断面図である。
【符号の説明】
【００１０】
１０  光ディスク
１００  光ピックアップ
１０１  ホログラムレーザ
１０２  コリメータレンズ
１０３  ビームスプリッタ
１０４  対物レンズ
１１１  ＦＭ
１１２  ＦＭ前レンズ
３００  情報記録再生装置
３０１  ディスクドライブ
３０２  ホストコンピュータ
３１３  信号記録再生手段
３１４  ＣＰＵ
【発明を実施するための最良の形態】
【００１１】
以下、発明を実施するための最良の形態として、本発明の光ピックアップ装置及び情報機器に係る実施形態の説明を進める。【００１２】
（光ピックアップ装置の実施形態）
本発明の光ピックアップ装置に係る実施形態は、記録媒体に対する記録動作及び再生動作の少なくとも一方を行うためのレーザ光を照射する照射手段と、前記照射手段と前記記録媒体との間における前記レーザ光の光路上に配置され、且つ前記レーザ光を前記記録媒体に集光する第１集光手段と、前記照射手段と前記第１集光手段との間における前記光路上に配置され、且つ前記レーザ光の光路に沿って移動可能なコリメータ手段と、前記コリメータ手段と前記第１集光手段との間における前記光路上に配置され、且つ前記レーザ光の一部を反射すると共に前記レーザ光の他の一部を透過する分離手段と、前記分離手段により反射された前記レーザ光の一部を受光する受光手段と、前記分離手段により反射された前記レーザ光の一部を前記受光手段に集光する第２集光手段とを備え、前記受光手段及び前記第１集光手段の少なくとも一方は、前記コリメータ手段の移動前後における前記第１集光手段での前記レーザ光の光密度の変化率と、前記コリメータ手段の移動前後における前記受光手段での前記レーザ光の光密度の変化率とが略同一となる位置に配置される。【００１３】
本発明の光ピックアップ装置に係る実施形態によれば、照射手段により、レーザ光が記録媒体に対して照射される。照射手段より照射されたレーザ光は、第１集光手段により記録媒体に集光される。ここでは特に、第１集光手段によりレーザ光の焦点が記録媒体（より具体的には、記録媒体が備える記録層）に合わせられる。これにより、記録媒体上に記録マーク等が形成され、その結果、記録媒体にデータが記録される。同様に、記録媒体上に形成された記録マーク等が読み取られ、その結果、記録媒体に記録されたデータが再生される。【００１４】
このとき、照射手段より照射されるレーザ光は、コリメータ手段の光路に沿った方向への移動に応じて、平行光となる、又は発散若しくは収束する。言い換えれば、発光手段より照射されるレーザ光は、コリメータ手段により波面が変換される。コリメータ手段の移動は、当該光ピックアップ装置の光学系において発生する球面収差を補正するために行われる。コリメータ手段により波面が変換されたレーザ光は、分離手段により、その一部が例えば９０°の方向に反射されると共に、他の一部は第１集光手段に向かって透過される。分離手段によって反射された一部のレーザ光は、第２集光手段により、受光手段上に集光される。受光手段は、受光したレーザ光の光強度等を測定する。この測定結果は、照射手段より照射されるレーザ光の光強度（言い換えれば、パワー）を制御するために用いられる。【００１５】
ここで、上述したとおり、コリメータ手段が移動することによって、レーザ光が平行光となったり、発散したり或いは収束したりする。これにより、第１集光手段でのレーザ光の光密度が変化すると共に、受光手段でのレーザ光の光密度も変化する。仮に、第１集光手段でのレーザ光の光密度の変化率と、受光手段でのレーザ光の光密度の変化率とが略同一でなければ、受光手段により測定されたレーザ光の光強度等を用いて照射手段より照射されるレーザ光のパワーを制御したとしても、照射手段より照射されるレーザ光のパワーが適切な値から変動してしまいかねない。より具体的には、受光手段でのレーザ光の光密度の変化率が１０％の減少であるとすると、照射手段より照射されるレーザ光のパワーを１０％増加するようにレーザ光のパワーの制御が行なわれる。他方で、第１集光手段でのレーザ光の光密度の変化率が１５％の減少であるとすると、実際に記録媒体に照射されるレーザ光のパワーは、規定の値よりも数％減少してしまう。【００１６】
しかるに本実施形態では、受光手段及び第１集光手段の少なくとも一方（更には、第２集光手段やコリメータ手段等）は、コリメータ手段の移動前後における第１集光手段でのレーザ光の光密度の変化率と、コリメータ手段の移動前後における受光手段でのレーザ光の光密度の変化率とが略同一となる状態を実現できる位置に配置されている。より具体的には、受光手段でのレーザ光の光密度の変化率が１０％の減少である場合には、第１集光手段でのレーザ光の光密度の変化率も１０％の減少でとなっている。従って、受光手段による測定結果に基づいて、照射手段より照射されるレーザ光のパワーを１０％増加するようにレーザ光のパワーの制御が行なわることで、実際に記録媒体に照射されるレーザ光のパワーを規定の値に合わせることができる。つまり、コリメータ手段を移動させる場合であっても、照射手段より照射されるレーザ光のパワーを好適に制御することができる。【００１７】
加えて、第１集光手段でのレーザ光の光密度の変化率と、受光手段でのレーザ光の光密度の変化率とが略同一となる状態を実現できる位置に受光手段及び第１集光手段の少なくとも一方が配置されていれば、受光手段及び第１集光手段の配置位置を自由に選択することができる。つまり、光学系に対する設計の自由度を向上させることができる。これは、スペース的な制約が大きい光ピックアップ装置において、実践上極めて有利な効果である。【００１８】
更に、第１集光手段でのレーザ光の光密度の変化率と、受光手段でのレーザ光の光密度の変化率とが略同一となる状態を実現できれば足りるため、必ずしもレーザ光の焦点を受光手段上に合わせる必要がない。言い換えれば、必ずしもレーザ光を受光手段上で結像させる必要はない。これによっても、光学系に対する設計の自由度を高めることができる。【００１９】
更には、第１集光手段でのレーザ光の光密度の変化率と、受光手段でのレーザ光の光密度の変化率とが略同一となる状態を実現できれば足りるため、第２集光手段の開口と第１集光手段の開口とを必ずしも同一にする必要がない。これによっても、光学系に対する設計の自由度を高めることができる。【００２０】
本発明の光ピックアップ装置に係る実施形態の一の態様は、前記第２集光手段の焦点距離及び前記第２集光手段と前記受光手段との間の距離に応じて定まる前記コリメータ手段の移動前後における前記受光手段での前記レーザ光の光密度の変化率が、前記コリメータ手段の移動前後における前記第１集光手段での前記レーザ光の光密度の変化率と略同一となるように、前記第２集光手段の焦点距離及び前記第２集光手段と前記受光手段との間の距離の夫々が定められる。【００２１】
この態様によれば、前記第２集光手段の焦点距離及び前記第２集光手段と前記受光手段との間の距離とを好適に定めることができ、その結果、受光手段及び第２集光手段の夫々は、コリメータ手段の移動前後における第１集光手段でのレーザ光の光密度の変化率と、コリメータ手段の移動前後における受光手段でのレーザ光の光密度の変化率とが略同一となる状態を実現できる位置に配置することができる。【００２２】
本発明の光ピックアップ装置に係る実施形態の他の態様は、前記コリメータ手段の移動前後における前記受光手段及び前記第１集光手段の夫々での前記レーザ光の光密度の変化の態様が線形関係となる位置に、前記受光手段及び前記第１集光手段の少なくとも一方が配置される。【００２３】
この態様によれば、受光手段及び第２集光手段の夫々の配置位置を好適に設定しつつも、受光手段による測定結果に基づいたレーザ光のパワーの制御を比較的容易に行なうことができる。【００２４】
本発明の光ピックアップ装置に係る実施形態の他の態様は、前記受光手段に照射される前記レーザ光のスポット径が、前記受光手段よりも大きい。【００２５】
この態様によれば、分離手段により反射された一部のレーザ光の光路に対する受光手段（更には、第２集光手段）の位置ずれ等や、光学系を構成するその他の構成要素の位置ずれ等に起因して、分離手段により反射された一部のレーザ光が受光手段に集光されないという不都合を好適に防止することができる。【００２６】
本発明の光ピックアップ装置に係る実施形態の他の態様は、前記第１集光手段に近づく方向へ前記コリメータ手段が移動することで前記第１集光手段での光密度が増加する場合には、前記受光手段を、前記第２集光手段による前記分離手段により反射された前記レーザ光の一部の焦点よりも、前記第２集光手段から見て近い側に配置する。【００２７】
この態様によれば、後の実施例においてより詳細に説明するように、上述した各種効果を享受しつつ、分離手段により反射された一部のレーザ光を受光手段に好適に集光することができる。【００２８】
本発明の光ピックアップ装置に係る実施形態の他の態様は、前記第１集光手段に近づく方向へ前記コリメータ手段が移動することで前記第１集光手段での光密度が減少する場合には、前記受光手段を、前記第２集光手段による前記分離手段により反射された前記レーザ光の一部の焦点よりも、前記第１集光手段から見て遠い側に配置することを特徴とする請求の範囲第１項に記載の光ピックアップ装置。【００２９】
この態様によれば、後の実施例においてより詳細に説明するように、上述した各種効果を享受しつつ、分離手段により反射された一部のレーザ光を受光手段に好適に集光することができる。【００３０】
本発明の光ピックアップ装置に係る実施形態の他の態様は、前記第２集光手段は、レンズ、反射ミラー及びプリズムの少なくとも１つを含む。【００３１】
この態様によれば、第２集光手段を比較的容易に構成することができる。加えて、レンズ、反射ミラー及びプリズムを適宜組み合わせることで、分離手段により反射された一部のレーザ光の光路を延伸しつつ、光学系の物理的なサイズの増大化を抑制することができる。【００３２】
上述の如く第２集光手段が、レンズ、反射ミラー及びプリズムの少なくとも１つを含む光ピックアップ装置の態様では、前記プリズムは多角プリズムであるように構成してもよい。【００３３】
このように構成すれば、第２集光手段を比較的容易に構成することができる。加えて、レンズ、反射ミラー及び多角プリズムを適宜組み合わせることで、分離手段により反射された一部のレーザ光の光路を延伸しつつ、光学系の物理的なサイズの増大化を抑制することができる。【００３４】
上述の如く第２集光手段が、レンズ、反射ミラー及びプリズムの少なくとも１つを含む光ピックアップ装置の態様では、前記反射ミラーは、凹面鏡及び凸面鏡の少なくとも一方を含むように構成してもよい。【００３５】
（情報機器の実施形態）
本発明の情報機器に係る実施形態は、記録媒体に対する記録動作及び再生動作の少なくとも一方を行うためのレーザ光を照射する照射手段と、前記照射手段と前記記録媒体との間における前記レーザ光の光路上に配置され、且つ前記レーザ光を前記記録媒体に集光する第１集光手段と、前記照射手段と前記第１集光手段との間における前記光路上に配置され、且つ前記レーザ光の光路に沿って移動可能なコリメータ手段と、前記コリメータ手段と前記第１集光手段との間における前記光路上に配置され、且つ前記レーザ光の一部を反射すると共に前記レーザ光の他の一部を透過する分離手段と、前記分離手段により反射された前記レーザ光の一部を受光する受光手段と、前記分離手段により反射された前記レーザ光の一部を前記受光手段に集光する第２集光手段とを備え、前記受光手段及び前記第１集光手段の少なくとも一方は、前記コリメータ手段の移動前後における前記第１集光手段での前記レーザ光の光密度の変化率と、前記コリメータ手段の移動前後における前記受光手段での前記レーザ光の光密度の変化率とが略同一となる位置に配置される光ピックアップ装置（即ち、上述した本発明の光ピックアップ装置に係る実施形態（但し、その各種態様を含む））と、前記記録媒体に対する記録動作及び再生動作の少なくとも一方を行うように前記光ピックアップ装置を制御する制御手段とを備える。【００３６】
本発明の情報機器に係る実施形態によれば、上述した光ピックアップ装置に係る実施形態が享受する各種効果と同様の効果を享受することができる。【００３７】
尚、上述した本発明の光ピックアップ装置に係る実施形態における各種態様に対応して、本発明の情報機器に係る実施形態も各種態様を採ることが可能である。【００３８】
本実施形態のこのような作用及び他の利得は次に説明する実施例から更に明らかにされよう。【００３９】
以上説明したように、本発明の光ピックアップ装置に係る実施形態によれば、受光手段及び第２集光手段の夫々は、コリメータ手段の移動前後における第１集光手段でのレーザ光の光密度の変化率と、コリメータ手段の移動前後における受光手段でのレーザ光の光密度の変化率とが略同一となる位置に配置される。本発明の情報機器に係る実施形態によれば、本発明の光ピックアップ装置に係る実施形態を備える。従って、レーザ光の光強度を好適に制御しつつも設計の自由度を高めること。
【実施例】
【００４０】
以下、本発明の実施例を図面に基づいて説明する。【００４１】
初めに、図１を参照して、本発明の光ピックアップ装置に係る実施例を備える情報記録再生装置（即ち、本発明の情報機器に係る実施例）の基本構成について説明する。ここに、図１は、本実施例に係る光ピックアップ１００を備える情報記録再生装置３００の全体的な構成を概略的に示すブロック図である。尚、情報記録再生装置３００は、光ディスク１０にデータを記録する機能と、光ディスク１０に記録されたデータを再生する機能とを備える。【００４２】
図１に示すように、情報記録再生装置３００は、実際に光ディスク１０がローディングされ且つデータの記録やデータの再生が行なわれるディスクドライブ３０１と、該ディスクドライブ３０１に対するデータの記録及び再生を制御するパーソナルコンピュータ等のホストコンピュータ３０２とを備えている。【００４３】
ディスクドライブ３０１は、光ディスク１０、スピンドルモータ３１１、光ピックアップ１００、信号記録再生手段３１３、ＣＰＵ（ドライブ制御手段）３１４、メモリ３１５、データ入出力制御手段３１６、及びバス３１７を備えて構成されている。また、ホストコンピュータ３０２は、データ入出力制御手段３１８、ＣＰＵ３１９、メモリ３２０、バス３２１、操作／表示制御手段３２２、操作ボタン３２３及び表示パネル３２４を備えて構成される。【００４４】
光ピックアップ１００は、本発明における「光ピックアップ装置」の一具体例を構成しており、光ディスク１０へのデータの記録を行うために、例えば後述のホログラムレーザや各種レンズ等を含んで構成される。より詳細には、光ピックアップ１００は、光ディスク１０に対してレーザ光ＬＢを、再生時には読み取り光として第１のパワーで照射し、記録時には書き込み光として第２のパワーで且つ変調させながら照射する。尚、光ピックアップ１００の詳細な構成については後述する（図２参照）。【００４５】
スピンドルモータ３１１は光ディスク１０を回転及び停止させるもので、光ディスク１０へのアクセス時に動作する。より詳細には、スピンドルモータ３１１は、図示しないサーボユニット等によりスピンドルサーボを受けつつ所定速度で光ディスク１０を回転及び停止させるように構成されている。【００４６】
信号記録再生手段３１３は、本発明における「制御手段」の一具体例を構成しており、スピンドルモータ３１１と光ピックアップ１００を制御することで光ディスク１０に対してデータの記録及び再生を行う。より具体的には、信号記録再生手段３１３は、例えば、レーザダイオードドライバ（ＬＤドライバ）及びヘッドアンプ等によって構成されている。レーザダイオードドライバは、光ピックアップ１００内に設けられたホログラムレーザを電流駆動し、レーザ光ＬＢを発光させる。ヘッドアンプは、光ピックアップ１００の出力信号、即ち、レーザ光ＬＢの反射光を増幅し、該増幅した信号を出力する。【００４７】
メモリ３１５は、データのバッファ領域や、信号記録再生手段３１３で使用出来るデータに変換する時の中間バッファとして使用される領域などディスクドライブ３０１におけるデータ処理全般において使用される。また、メモリ３１５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００４８】
ＣＰＵ（ドライブ制御手段）３１４は、信号記録再生手段３１３及びメモリ３１５と、バス３１７を介して接続され、各種制御手段に指示を行うことで、ディスクドライブ３０１全体の制御を行う。通常、ＣＰＵ３１４が動作するためのソフトウェア又はファームウェアは、メモリ３１５に格納されている。【００４９】
データ入出力制御手段３１６は、ディスクドライブ３０１に対する外部からのデータ入出力を制御し、メモリ３１５上のデータバッファへの格納及び取り出しを行う。情報記録装置３００とＳＣＳＩや、ＡＴＡＰＩなどのインタフェースを介して接続されている外部のホストコンピュータ３０２から発行されるドライブ制御命令は、データ入出力制御手段３１６を介してＣＰＵ３１４に伝達される。また、データも同様にデータ入出力制御手段３１６を介して、ホストコンピュータ３０２とやり取りされる。【００５０】
操作／表示制御手段３２２はホストコンピュータ３０２に対する動作指示受付と表示を行うもので、例えば記録や再生といった操作ボタン３２３による指示をＣＰＵ３１９に伝える。ＣＰＵ３１９は、操作／表示制御手段３２２からの指示情報を元に、データ入出力手段３１８を介して、情報記録再生装置３００に対して制御命令（コマンド）を送信し、ディスクドライブ３０１全体を制御する。同様に、ＣＰＵ３１９は、ディスクドライブ３０１に対して、動作状態をホストに送信するように要求するコマンドを送信することができる。これにより、記録中といったディスクドライブ３０１の動作状態が把握できるためＣＰＵ３１９は、操作／表示制御手段３２２を介して蛍光管やＬＣＤなどの表示パネル３２４にディスクドライブ３０１の動作状態を出力することができる。【００５１】
メモリ３２０は、ホストコンピュータ３０２が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３１８を介して、図示しないハードディスク等の外部記憶装置に接続されていてもよい。【００５２】
以上説明した、ディスクドライブ３０１とホストコンピュータ３０２を組み合わせて使用する一具体例は、映像を記録するレコーダ機器等の家庭用機器である。このレコーダ機器は放送受信チューナや外部接続端子からの映像信号をディスクに記録する機器である。メモリ３２０に格納されたプログラムをＣＰＵ３１９で実行させることでレコーダ機器としての動作を行っている。また、別の具体例では、ディスクドライブ３０１はディスクドライブ（以下、適宜ドライブと称す）であり、ホストコンピュータ３０２はパーソナルコンピュータやワークステーションである。パーソナルコンピュータ等のホストコンピュータとドライブはＳＣＳＩやＡＴＡＰＩといったデータ入出力制御手段３１６及び３１８を介して接続されており、ホストコンピュータ３０２にインストールされているリーディングソフトウェア等のアプリケーションが、ディスクドライブ３０１を制御する。【００５３】
続いて、図２を参照して、本実施例に係る情報記録再生装置３００が備えるピックアップ１００のより詳細な構成について説明する。ここに、図２は、本実施例に係る情報記録再生装置３００のうち特にピックアップ１００のより詳細な構成を概略的に示すブロック図である。【００５４】
図２に示すように、光ピックアップ１００は、ホログラムレーザ１０１と、コリメータレンズ１０２と、ビームスプリッタ１０３と、対物レンズ１０４と、ＦＭ（Front Monitor）１１１と、ＦＭ前レンズ１１２とを備える。【００５５】
ホログラムレーザ１０１は、本発明の「照射手段」の一具体例を構成しており、レーザ光ＬＢを出射可能なレーザダイオードや基板やフォトディテクタ（ＰＤ：Photo Detector）やホログラム素子などを有して構成されている。レーザダイオードとフォトディテクタは同一の基板上に配置されており、ホログラム素子は基板のレーザ光ＬＢの出力側に対向して設けられている。レーザダイオードは光ディスク１０の種別に応じたレーザ光ＬＢを照射する。より具体的には、レーザダイオードは、例えば情報記録再生装置３００にローディングされる光ディスク１０がＣＤである場合には、例えば７８０ｎｍの波長を有するレーザ光ＬＢ（即ち、赤外レーザ光）を照射する。また、レーザダイオードは、情報記録再生装置３００にローディングされる光ディスク１０がＤＶＤである場合には、例えば６６０ｎｍの波長を有するレーザ光ＬＢ（即ち、赤レーザ光）を照射する。また、レーザダイオードは、情報記録再生装置３００にローディングされる光ディスク１０がＨＤ  ＤＶＤやＢｌｕ−ｒａｙ  Ｄｉｓｃである場合には、例えば４２０ｎｍの波長を有するレーザ光ＬＢ（即ち青紫レーザ光）を照射する。受光素子は入力されるレーザ光ＬＢを受光する。ホログラム素子は、レーザチップから出力されたレーザ光ＬＢを、そのまま透過させると共に、当該レーザ光ＬＢの入射面と反対の面から入射されるレーザ光ＬＢ（即ち、レーザ光ＬＢの光ディスク１０からの反射光）を屈折させて、基板上のフォトディテクタに集光させる。フォトディテクタは、集光された反射光を受光するし、該受光された結果を受光信号として信号記録再生手段３１３へ出力する。その結果、データの再生が行われる。【００５６】
尚、レーザダイオード及びフォトディテクタ等を一つにまとめて備えるホログラムレーザ１０１に代えて、レーザダイオードやフォトディテクタを別個に備える構成を採用してもよい。【００５７】
コリメータレンズ１０２は、本発明における「コリメータ手段」の一具体例を構成しており、入射したレーザ光ＬＢを略平行光にして、ハーフミラー１０５に入射させる。【００５８】
ビームスプリッタ１０３は、本発明における「分離手段」の一具体例を構成しており、ホログラムレーザ１０１より照射されるレーザ光ＬＢの一部を、その光軸に対して９０°の方向に反射させることでＦＭ１１１へ導くと共に、ホログラムレーザ１０１より照射されるレーザ光ＬＢの他の一部を透過して対物レンズ１０４へ導く。【００５９】
以降、必要に応じて、ビームスプリッタ１０３において反射された一部のレーザ光を“レーザ光ＲＢ”と称し、ビームスプリッタ１０３において透過された他の一部のレーザ光を“レーザ光ＴＢ”と称して区別する。【００６０】
対物レンズ１０４は、本発明における「第１集光手段」の一具体例を構成しており、入射するレーザ光ＴＢを集光して、光ディスク１０の記録面上に照射する。特に、対物レンズ１０４は、入射するレーザ光ＴＢの焦点を、光ディスク１０の記録面に合わせる。【００６１】
尚、対物レンズ１０４は、不図示のアクチュエータ等により、トラッキング方向及びフォーカス方向に向かって移動することができる。【００６２】
ＦＭ１１１は、本発明における「受光手段」の一具体例を構成しており、例えばフォトディテクタ等を備えており、ホログラムレーザ１０１から照射されるレーザ光ＬＢの光強度を測定可能に構成されている。測定された光強度は、ＣＰＵ３１４へ出力される。ＣＰＵ３１４は、ＦＭ１１１より出力される光強度に基づいて、ホログラムレーザ１０１から好適な光強度のレーザ光ＬＢが照射されるように信号記録再生手段３１３を制御する。例えば、ＦＭ１１１より出力される光強度が規定の値よりも小さくなっていれば、ＣＰＵ３１４は、ホログラムレーザ１０１からより大きな光強度のレーザ光ＬＢが照射されるように信号記録再生手段３１３を制御する。他方、ＦＭ１１１より出力される光強度が規定の値よりも大きくなっていれば、ＣＰＵ３１４は、ホログラムレーザ１０１からより小さな光強度のレーザ光ＬＢが照射されるように信号記録再生手段３１３を制御する。【００６３】
ＦＭ前レンズ１１２は、本発明における「第２集光手段」の一具体例を構成しており、ビームスプリッタ１０３において反射されたレーザ光ＲＢをＦＭ１１１の受光面上に集光する。このとき、ＦＭ前レンズ１１２は、レーザ光ＲＢの焦点を、ＲＭ１１１の受光面上に合わせてもよいし、或いは合わせなくともよい。言い換えれば、ＦＭ前レンズ１１２は、レーザ光ＲＢを、ＲＭ１１１の受光面上において結像させてもよいし、或いは結像させなくともよい。【００６４】
ここで、本実施例では特に、コリメータレンズ１０２は、レーザ光ＬＢの光軸（言い換えれば、光路）に沿って移動可能に構成されている。つまり、図２中に示す矢印の方向に沿って移動可能に構成されている。コリメータレンズ１０２の移動は、主として球面収差を補正するために行われる。より具体的には、光ディスク１０の基板厚が規定の厚さ（ＣＤであれば、１．２ｍｍであり、ＤＶＤ及びＨＤ  ＤＶＤであれば０．６ｍｍであり、Ｂｌｕ−ｒａｙ  Ｄｉｓｃであれば０．１ｍｍである）と比較してずれを有している場合には、コリメータレンズ１０２を移動させることにより、レーザ光ＬＢが発散光又は収束光される。これにより、球面収差を補正することができる。【００６５】
他方で、コリメータレンズ１０２を移動させた場合には、レーザ光ＬＢが発散光又は収束光となり得る。このため、対物レンズ１０４に入射するレーザ光ＴＢや、ＦＭ前レンズ１１２に入射するレーザ光ＲＢも同様に、発散光又は収束光となり得る。これにより、対物レンズ１０４上でのレーザ光ＴＢの光密度（或いは、対物レンズ１０４の位置におけるレーザ光ＴＢの光密度）が変化すると共に、ＦＭ１１１の位置におけるレーザ光ＲＢの光密度（或いは、ＦＭ１１１の位置におけるレーザ光ＲＢの光密度）も変化する。【００６６】
ここで、図３及び図４を参照して、コリメータレンズ１０２の移動に伴う、対物レンズ１０４上でのレーザ光ＴＢの光密度の変化、及びＦＭ１１１上でのレーザ光ＲＢの光密度の変化について説明する。ここに、図３は、コリメータレンズ１０２が対物レンズ１０４から光学的に遠ざかる位置に移動する場合における、対物レンズ１０４上でのレーザ光ＴＢの光密度の変化、及びＦＭ１１１上でのレーザ光ＲＢの光密度の変化の夫々の態様を概念的に示す説明図であり、図４は、コリメータレンズ１０２が対物レンズ１０４に光学的に近づく位置に移動する場合における、対物レンズ１０４上でのレーザ光ＴＢの光密度の変化、及びＦＭ１１１上でのレーザ光ＲＢの光密度の変化の夫々の態様を概念的に示す説明図である。【００６７】
図３及び図４の細く且つ細かい破線にて示すように、コリメータレンズ１０２を移動させる前は、コリメータレンズ１０２を通過してレーザ光ＬＢは平行光となっている。そして、このときの対物レンズ１０４上でのレーザ光ＴＢのスポットは、図３及び図４の下方に示すスポットａ１となる。また、対物レンズ１０４上でのレーザ光ＴＢの光密度は、Ａ１となる。同様に、ＦＭ１１１上でのレーザ光ＲＢのスポットは、図３及び図４の下方に示すスポットａ２となる。また、ＦＭ１１１上でのレーザ光ＲＢの光密度は、Ａ２となる。【００６８】
一方、図３の太く且つ荒い破線で示すように、コリメータレンズ１０２を対物レンズ１０４から光学的に遠ざかる位置に移動させた場合には、コリメータレンズ１０２を通過したレーザ光ＬＢは発散光となる。その結果、対物レンズ１０４上でのレーザ光ＴＢ及びＦＭ１１１上でのレーザ光ＲＢの夫々のスポットは大きくなる。具体的には、対物レンズ１０４上でのレーザ光ＴＢのスポットは、図３の下方に示すスポットｂ１となる。また、対物レンズ１０４上でのレーザ光ＴＢの光密度は、Ｂ１となる。同様に、ＦＭ１１１上でのレーザ光ＲＢのスポットは、図３の下方に示すスポットｂ２となる。また、ＦＭ１１１上でのレーザ光ＴＢの光密度はＢ２となる。【００６９】
他方、図４の太く且つ荒い破線で示すように、コリメータレンズ１０２を対物レンズ１０４に光学的に近づく位置に移動させた場合には、コリメータレンズ１０２を通過したレーザ光ＬＢは収束光となる。その結果、対物レンズ１０４上でのレーザ光ＴＢ及びＦＭ１１１上でのレーザ光ＲＢの夫々のスポットは小さくなる。具体的には、対物レンズ１０４上でのレーザ光ＴＢのスポットは、図４の下方に示すスポットｃ１となる。また、対物レンズ１０４上でのレーザ光ＴＢの光密度は、Ｃ１となる。同様に、ＦＭ１１１上でのレーザ光ＲＢのスポットは、図４の下方に示すスポットｃ２となる。また、ＦＭ１１１上でのレーザ光ＴＢの光密度は、Ｃ２となる。【００７０】
尚、図３及び図４に示す例では、コリメータレンズ１０２を対物レンズ１０４から光学的に遠ざかる位置に移動させた場合には、コリメータレンズ１０２を通過したレーザ光ＬＢは発散光となり、コリメータレンズ１０２を対物レンズ１０４に光学的に近づく位置に移動させた場合には、コリメータレンズ１０２を通過したレーザ光ＬＢは収束光となっている。しかしながら、光ピックアップ１００の光学系の仕様によっては、コリメータレンズ１０２を対物レンズ１０４から光学的に遠ざかる位置に移動させた場合には、コリメータレンズ１０２を通過したレーザ光ＬＢは収束光となり、コリメータレンズ１０２を対物レンズ１０４に光学的に近づく位置に移動させた場合には、コリメータレンズ１０２を通過したレーザ光ＬＢは発散光となり得ることは言うまでもない。【００７１】
本実施例では特に、コリメータレンズ１０２の移動前後における対物レンズ１０４上でのレーザ光ＴＢの光密度の変化の態様（例えば、変化率）と、コリメータレンズ１０２の移動前後におけるＦＭ１１１上でのレーザ光ＲＢの光密度の変化の態様とが同一又は概ね同一となる状態を実現できるような位置に、対物レンズ１０４及びＦＭ１１１の夫々を配置している。具体的には、図３において、Ｂ１／Ａ１＝Ｂ２／Ａ２という関係を実現することができる位置に、対物レンズ１０４及びＦＭ１１１の夫々が配置される。同様に、図４において、Ｃ１／Ａ１＝Ｃ２／Ａ２という関係を実現することができる位置に、対物レンズ１０４及びＦＭ１１１の夫々が配置される。【００７２】
更には、光ピックアップ１００を構成するその他のホログラムレーザ１０１や、コリメータレンズ１０２や、ビームスプリッタ１０３や、ＦＭ前レンズ１１２等の配置についても、上述した関係を考慮して配置されることが好ましい。【００７３】
ここで、図５及び図６を参照しながら、より具体的な数値を適用した光ピックアップ１００について説明する。ここに、図５は、コリメータレンズ１０２の移動に起因した、対物レンズ１０４上でのレーザ光ＴＢの光密度の変化の態様を概念的に示すグラフであり、図６は、コリメータレンズ１０２の移動に起因した、ＦＭ１１１上でのレーザ光ＲＢの光密度の変化の態様を概念的に示す表及びグラフである。【００７４】
尚、図５及び図６を用いた説明では、光ピックアップ１００の各種パラメータとして、以下の前提条件を設定している。具体的には、コリメータレンズ１０２の焦点距離を３０ｍｍと設定し、コリメータレンズ１０２とＦＭ前レンズ１１２との間の光学的な距離（尚、本実施例においては、「光学的な距離」は、レーザ光ＬＢの光軸に沿った距離を示すものとする）を２０ｍｍと設定し、ＦＭ前レンズ１１２のレンズ径を２ｍｍと設定し、ＦＭ前レンズ１１２の焦点距離を３０ｍｍと設定し、ＦＭ１１１の受光面の径を０．７ｍｍと設定している。また、コリメータレンズ１０２が対物レンズ１０２に光学的に近づく方向へ移動する場合（つまり、図４に示す態様での移動）に、コリメータレンズ１０２がプラスの方向へ移動したものとする。従って、コリメータレンズ１０２が対物レンズ１０２から光学的に遠ざかる方向へ移動する場合（つまり、図３に示す態様での移動）は、コリメータレンズ１０２がマイナスの方向へ移動したものとなる。【００７５】
対物レンズ１０４上でのレーザ光ＴＢの光密度は、コリメータレンズ１０２の移動に対して、図５に示すグラフのように変化する。尚、図５では、コリメータレンズ１０２と対物レンズ１０４との間の光学的な距離を数種類に設定した場合に得られる複数のグラフを示している。コリメータレンズ１０２と対物レンズ１０４との間の光学的な距離が４５ｍｍ、４０ｍｍ、３５ｍｍ、３０ｍｍ又は２５ｍｍとなる場合には、対物レンズ１０４上でのレーザ光ＴＢの光密度は、コリメータレンズ１０２のプラス方向への移動に対して、単調に増加している。他方、コリメータレンズ１０２と対物レンズ１０４との間の光学的な距離が１５ｍｍとなる場合には、対物レンズ１０４上でのレーザ光ＴＢの光密度は、コリメータレンズ１０２のプラス方向への移動に対して、単調に減少している。一方、コリメータレンズ１０２と対物レンズ１０４との間の光学的な距離が２０ｍｍとなる場合には、対物レンズ１０４上でのレーザ光ＴＢの光密度は、コリメータレンズ１０２のプラス方向への移動に対して、一旦減少した後に増加する。また、コリメータレンズ１０２と対物レンズ１０４との間の光学的な距離が２０ｍｍである場合には、対物レンズ１０４上でのレーザ光ＴＢの光密度の変化率が相対的に小さい。【００７６】
続いて、ＦＭ１１１上でのレーザ光ＲＢの光密度は、コリメータレンズ１０２の移動に対して、図６（ａ）に示すグラフ及び図６（ｂ）に示す表のように変化する。尚、図６（ａ）及び図６（ｂ）では、ＦＭ１１１とＦＭ前レンズレンズ１１２との間の光学的な距離を数種類に設定した場合に得られる複数のグラフを示している。ＦＭ１１１とＦＭ前レンズレンズ１１２との間の光学的な距離が２０ｍｍ、１５ｍｍ、１０ｍｍ又は５ｍｍとなるいずれの場合であっても、ＦＭ１１１上でのレーザ光ＲＢの光密度は、コリメータレンズ１０２のプラス方向への移動に対して、単調に増加している。【００７７】
本実施例では、図５及び図６に示されるような光密度の変化に基づいて、図５に示すグラフと図６（ａ）に示すグラフが一致する又は概ね一致する状態を実現することができるように、対物レンズ１０４及びＦＭ１１１の夫々を配置する。【００７８】
ここでは、例えば、コリメータレンズ１０２と対物レンズ１０４との間の光学的な距離を２５ｍｍと設定し且つＦＭ１１１とＦＭ前レンズ１１２との間の光学的な距離を５ｍｍと設定すれば、図５に示すグラフと図６（ａ）に示すグラフが一致する又は概ね一致する状態を実現することができる。その結果、コリメータレンズ１０２の移動前後における対物レンズ１０４上でのレーザ光ＴＢの光密度の変化の態様（例えば、変化率）と、コリメータレンズ１０２の移動前後におけるＦＭ１１１上でのレーザ光ＲＢの光密度の変化の態様とが同一又は概ね同一となる状態を実現することができる。【００７９】
同様に、例えば、コリメータレンズ１０２と対物レンズ１０４との間の光学的な距離を３５ｍｍと設定し且つＦＭ１１１とＦＭ前レンズ１１２との間の光学的な距離を１０ｍｍと設定すれば、図５に示すグラフと図６（ａ）に示すグラフが一致する又は概ね一致する状態を実現することができる。その結果、コリメータレンズ１０２の移動前後における対物レンズ１０４上でのレーザ光ＴＢの光密度の変化の態様と、コリメータレンズ１０２の移動前後におけるＦＭ１１１上でのレーザ光ＲＢの光密度の変化の態様とが同一又は概ね同一となる状態を実現することができる。【００８０】
もちろん、図５及び図６に示した例は一具体例であり、上述したパラメータを変更することで、コリメータレンズ１０２の移動前後における対物レンズ１０４上でのレーザ光ＴＢの光密度の変化の態様と、コリメータレンズ１０２の移動前後におけるＦＭ１１１上でのレーザ光ＲＢの光密度の変化の態様とが同一又は概ね同一となる状態を実現することができる更に他の位置に対物レンズ１０４やＦＭ１１１を配置してもよいことはいうまでもない。【００８１】
このように、本実施例に係る情報記録再生装置３００によれば、コリメータレンズ１０２の移動前後における対物レンズ１０４上でのレーザ光ＴＢの光密度の変化率と、コリメータレンズ１０２の移動前後におけるＦＭ１１１上でのレーザ光ＲＢの光密度の変化率とが略同一となる状態を実現できる位置に対物レンズ１０４及びＦＭ１１１が配置されている。このため、ＦＭ１１１上でのレーザ光ＲＢの光密度の変化率が１０％の減少である場合には、対物レンズ１０４上でのレーザ光ＴＢの光密度の変化率も１０％の減少でとなっている。従って、ＦＭ１１１による光密度の測定結果に基づいて、ホログラムレーザ１０１より照射されるレーザ光ＬＢのパワーを１０％増加するようにレーザ光ＬＢのパワーの制御が行なわることで、実際に光ディスク１０に照射されるレーザ光ＬＢのパワーを規定の値に合わせることができる。つまり、コリメータレンズ１０２を移動させる場合であっても、ホログラムレーザ１０１より照射されるレーザ光ＬＢのパワーを好適に制御することができる。【００８２】
加えて、対物レンズ１０４上でのレーザ光ＴＢの光密度の変化率と、ＦＭ１１１でのレーザ光ＲＢの光密度の変化率とが略同一となる状態を実現できる位置に対物レンズ１０４やＦＭ１１１の夫々が配置されていれば、対物レンズ１０４やＦＭ１１１の配置位置を自由に選択することができる。つまり、光学系に対する設計の自由度を向上させることができる。これは、スペース的な制約が大きい光ピックアップ１００において、実践上極めて有利な効果である。【００８３】
更に、対物レンズ１０４上でのレーザ光ＴＢの光密度の変化率と、ＦＭ１１１上でのレーザ光ＲＢの光密度の変化率とが略同一となる状態を実現できれば足りるため、必ずしもレーザ光ＲＢの焦点をＦＭ１１１上に合わせる必要がない。言い換えれば、必ずしもレーザ光ＲＢをＦＭ１１１上で結像させる必要はない。これによっても、光学系に対する設計の自由度を高めることができる。【００８４】
更には、対物レンズ１０４上でのレーザ光ＴＢの光密度の変化率と、ＦＭ１１１でのレーザ光ＲＢの光密度の変化率とが略同一となる状態を実現できれば足りるため、対物レンズ１０４の開口とＦＭ前レンズ１１２の開口とを必ずしも同一にする必要がない。同様に、対物レンズ１０４の配置とＦＭ前レンズ１１２の配置とを必ずしも同一にする必要がない。これによっても、光学系に対する設計の自由度を高めることができる。【００８５】
尚、上述の実施例では、対物レンズ１０４上でのレーザ光ＴＢの光密度の変化率と、ＦＭ１１１上でのレーザ光ＲＢの光密度の変化率とが略同一となる状態を実現することができる位置に対物レンズ１０４及びＦＭ１１１の夫々を配置している。しかしながら、光ピックアップ１００のスペース的な制約により、対物レンズ１０４及びＦＭ１１１の夫々を好適な位置に配置することができない場合も考えられる。例えば、スペース的な制約によりＦＭ１１１の位置が必然的に決まってしまう場合も考えられる。この場合、必然的に決まってしまうＦＭ１１１の位置を前提条件として、対物レンズ１０４上でのレーザ光ＴＢの光密度の変化率と、ＦＭ１１１上でのレーザ光ＲＢの光密度の変化率とが略同一となる状態を実現することができる位置に対物レンズ１０４を配置すれば、上述した各種効果を相応に享受することができる。更に、対物レンズ１０４を配置のみでは対物レンズ１０４上でのレーザ光ＴＢの光密度の変化率と、ＦＭ１１１上でのレーザ光ＲＢの光密度の変化率とが略同一となる状態を実現することができない場合には、その他の各種パラメータ（例えば、ＦＭ前レンズ１１２の焦点距離等）を適宜変更するように構成してもよい。【００８６】
このような構成について、図７及び図８を参照して、より詳細に説明する。ここに、図７は、ＦＭ前レンズ１１２とＦＭ１１１との間の距離を１５ｍｍに固定した場合において、コリメータレンズ１０２の移動に起因した、ＦＭ１１１上でのレーザ光ＲＢの光密度の変化の態様を概念的に示すグラフであり、図７は、ＦＭ前レンズ１１２とＦＭ１１１との間の距離を１０ｍｍに固定した場合において、コリメータレンズ１０２の移動に起因した、ＦＭ１１１上でのレーザ光ＲＢの光密度の変化の態様を概念的に示すグラフである。【００８７】
尚、図７及び図８を用いた説明では、光ピックアップ１００の各種パラメータとして、図５及び図６を用いた説明時のパラメータを用いるものとする。但し、ＦＭ前レンズ１１２の焦点距離については適宜変更している。また、図７を用いた説明では、ＦＭ前レンズ１１２とＦＭ１１１との間の距離を１５ｍｍに固定した例について示す。図８を用いた説明では、ＦＭ前レンズ１１２とＦＭ１１１との間の距離を１０ｍｍに固定した例について示す。【００８８】
ＦＭ前レンズ１１２とＦＭ１１１との間の距離を１５ｍｍに固定した場合には、ＦＭ１１１上でのレーザ光ＲＢの光密度は、コリメータレンズ１０２の移動に対して、図７（ａ）に示すグラフ及び図７（ｂ）に示す表のように変化する。尚、図７（ａ）及び図７（ｂ）では、ＦＭ前レンズレンズ１１２の焦点距離を数種類に設定した場合に得られる複数のグラフを示している。ＦＭ前レンズレンズ１１２の焦点距離が１００ｍｍ、７０ｍｍ、５０ｍｍ、３０ｍｍ又は１５ｍｍとなるいずれの場合であっても、ＦＭ１１１上でのレーザ光ＲＢの光密度は、コリメータレンズ１０２のプラス方向への移動に対して、単調に増加している。【００８９】
この場合、図５及び図７に示されるような光密度の変化に基づいて、図５に示すグラフと図７（ａ）に示すグラフが一致する又は概ね一致する状態を実現することができるように、対物レンズ１０４及びＦＭ１１１の夫々を配置する。【００９０】
ここでは、例えば、コリメータレンズ１０２と対物レンズ１０４との間の光学的な距離を４０ｍｍと設定し且つＦＭ前レンズ１１２の焦点距離を７０ｍｍ又は１００ｍｍと設定すれば、図５に示すグラフと図７（ａ）に示すグラフが一致する又は概ね一致する状態を実現することができる。その結果、コリメータレンズ１０２の移動前後における対物レンズ１０４上でのレーザ光ＴＢの光密度の変化の態様（例えば、変化率）と、コリメータレンズ１０２の移動前後におけるＦＭ１１１上でのレーザ光ＲＢの光密度の変化の態様とが同一又は概ね同一となる状態を実現することができる。【００９１】
ＦＭ前レンズ１１２とＦＭ１１１との間の距離を１０ｍｍに固定した場合には、ＦＭ１１１上でのレーザ光ＲＢの光密度は、コリメータレンズ１０２の移動に対して、図８（ａ）に示すグラフ及び図８（ｂ）に示す表のように変化する。尚、図８（ａ）及び図８（ｂ）では、ＦＭ前レンズレンズ１１２の焦点距離を数種類に設定した場合に得られる複数のグラフを示している。ＦＭ前レンズレンズ１１２の焦点距離が１００ｍｍ、７０ｍｍ、５０ｍｍ、３０ｍｍ又は１５ｍｍとなるいずれの場合であっても、ＦＭ１１１上でのレーザ光ＲＢの光密度は、コリメータレンズ１０２のプラス方向への移動に対して、単調に増加している。【００９２】
この場合、図５及び図８に示されるような光密度の変化に基づいて、図５に示すグラフと図８（ａ）に示すグラフが一致する又は概ね一致する状態を実現することができるように、対物レンズ１０４及びＦＭ１１１の夫々を配置する。【００９３】
ここでは、例えば、コリメータレンズ１０２と対物レンズ１０４との間の光学的な距離を４０ｍｍと設定し且つＦＭ前レンズ１１２の焦点距離を１０ｍｍと設定すれば、図５に示すグラフと図８（ａ）に示すグラフが一致する又は概ね一致する状態を実現することができる。その結果、コリメータレンズ１０２の移動前後における対物レンズ１０４上でのレーザ光ＴＢの光密度の変化の態様（例えば、変化率）と、コリメータレンズ１０２の移動前後におけるＦＭ１１１上でのレーザ光ＲＢの光密度の変化の態様とが同一又は概ね同一となる状態を実現することができる。【００９４】
また、コリメータレンズ１０４のプラス方向の移動に対して、対物レンズ１０４上でのレーザ光ＴＢの光密度は、増加する場合もあれば、減少する場合もある。このとき、対物レンズ１０４上でのレーザ光ＴＢの光密度が増加するか又は減少するかに応じて、ＦＭ１１１の配置位置を変更するように構成してもよい。この構成について、図９を参照して説明する。ここに、図９は、ＦＭ１１１の配置位置を概念的に示す断面図である。【００９５】
図９（ａ）に示すように、コリメータレンズ１０４のプラス方向の移動に対して、対物レンズ１０４上でのレーザ光ＴＢの光密度が増加する場合には、ＦＭ前レンズ１１２の焦点ｐよりも手前側（つまり、ＦＭ前レンズ１１２に近い側）にＦＭ１１１を配置することが好ましい。【００９６】
他方、図９（ｂ）に示すように、コリメータレンズ１０４のプラス方向の移動に対して、対物レンズ１０４上でのレーザ光ＴＢの光密度が減少する場合には、ＦＭ前レンズ１１２の焦点ｐよりも奥側（つまり、ＦＭ前レンズ１１２から遠い側）にＦＭ１１１を配置することが好ましい。【００９７】
また、ＦＭ１１１の位置におけるレーザ光ＲＢのスポットの大きさは、ＦＭ１１１の受光面の大きさよりも大きくすることが好ましい。これにより、レーザ光ＲＢの光路に対するＦＭ１１１やＦＭ前レンズ１１２の位置ずれ等に起因して、レーザ光ＲＢがＲＭ１１１の受光面に集光されなくなってしまうという不都合を好適に防止することができる。【００９８】
また、コリメータレンズ１０２の移動に対して、光密度が直線的に変化する（つまり、線形関係にて変化する）状態を実現することができる位置に対物レンズ１０４やＦＭ１１１を配置するように構成してもよい。或いは、光密度の変化がない又は相対的に小さい状態を実現する位置に対物レンズ１０４やＦＭ１１１を配置するように構成してもよい。具体的には、例えば、図５に示すように、コリメータレンズ１０４からの距離が２０ｍｍとなる位置に対物レンズ１０４を配置すれば、光密度の変化がない又は相対的に小さい状態を実現することができる。【００９９】
続いて、図１０から図１４を参照して、ＦＭ前レンズ１１２のより具体的な構成について説明を進める。ここに、図１０は、ＦＭ前レンズ１１２の第１の具体的な構成を概念的に示す断面図であり、図１１は、ＦＭ前レンズ１１２の第２の具体的な構成を概念的に示す断面図であり、図１２は、ＦＭ前レンズ１１２の第３の具体的な構成を概念的に示す断面図であり、図１３は、ＦＭ前レンズ１１２の第４の具体的な構成を概念的に示す断面図であり、図１４は、ＦＭ前レンズ１１２の第５の具体的な構成を概念的に示す断面図である。【０１００】
図１０に示すように、凸レンズ１１２１ａと反射ミラー１１２２ａとを組み合わせたプリズム１１２ａを、ＦＭ前レンズ１１２として用いてもよい。このようなプリズム１１２ａをＦＭ前レンズ１１２として用いることで、コリメータレンズ１０２とＦＭ１１１との間の距離をある程度多く確保することができる。これは、物理的な形状によるスペース的な制約が大きい光ピックアップ１００において、相対的に長い光路を確保することができるため、実践上大変有利な効果である。【０１０１】
図１１に示すように、凸レンズ１１２１ｂと反射ミラー１１２２ｂと反射ミラー１１２３ｂとを組み合わせた五角プリズム１１２ｂを、ＦＭ前レンズ１１２として用いてもよい。このような五角プリズム１１２ｂをＦＭ前レンズ１１２として用いることで、コリメータレンズ１０２とＦＭ１１１との間の距離をより多く確保することができる。これは、物理的な形状によるスペース的な制約が大きい光ピックアップ１００において、相対的に長い光路を確保することができるため、実践上大変有利な効果である。【０１０２】
図１２に示すように、凹面鏡１１２ｃをＦＭ前レンズ１１２として用いてもよい。このような凹面鏡１１２ｃをＦＭ前レンズ１１２として用いることで、コリメータレンズ１０２とＦＭ１１１との間の距離をより多く確保することができると共に、ＦＭ前レンズ１１２の構成を相対的に簡略化することができる。【０１０３】
尚、図１２に示す凹面鏡１１２ｃは、図１０に示すプリズム１１２ａを簡略化したものに相当する。【０１０４】
図１３に示すように、凹面鏡１１２４ｄと、反射ミラー１１２２ｄとを組み合わせた構成１１２ｄを、ＦＭ前レンズ１１２として用いてもよい。このような構成１１２ｄをＦＭ前レンズ１１２として用いることで、コリメータレンズ１０２とＦＭ１１１との間の距離をより多く確保することができると共に、ＦＭ前レンズ１１２の構成を相対的に簡略化することができる。【０１０５】
尚、図１３に示す構成１１２ｄは、図１１に示す五角プリズム１１２ｂを２部品構成にしたものに相当する。【０１０６】
図１４に示すように、凹面鏡１１２４ｅと、凹面鏡１１２５ｅとを組み合わせた構成１１２ｅを、ＦＭ前レンズ１１２として用いてもよい。このような構成１１２ｅをＦＭ前レンズ１１２として用いることで、コリメータレンズ１０２とＦＭ１１１との間の距離をより多く確保することができると共に、ＦＭ前レンズ１１２の構成を相対的に簡略化することができる。【０１０７】
尚、図１４に示す構成１１２ｅは、図１１に示す五角プリズム１１２ｂを２部品構成にしたものに相当する。【０１０８】
本発明は、上述した実施例に限られるものではなく、請求の範囲及び明細書全体から読み取れる発明の要旨或いは思想に反しない範囲で適宜変更可能であり、そのような変更を伴なう光ピックアップ装置及び情報機器もまた本発明の技術的範囲に含まれるものである。
【図１】
2008041307.tif 000003
【図２】
2008041307.tif 000004
【図３】
2008041307.tif 000005
【図４】
2008041307.tif 000006
【図５】
2008041307.tif 000007
【図６】
2008041307.tif 000008
【図７】
2008041307.tif 000009
【図８】
2008041307.tif 000010
【図９】
2008041307.tif 000011
【図１０】
2008041307.tif 000012
【図１１】
2008041307.tif 000013
【図１２】
2008041307.tif 000014
【図１３】
2008041307.tif 000015
【図１４】
2008041307.tif 000016
【国際調査報告】
2008041307.tif 000017
2008041307.tif 000018
2008041307.tif 000019
2008041307.tif 000020